(57)【要約】      （修正有）【課題】使用者による装置間の連携設定の必要がなく、文字入力作業が比較的し易い文字入力方法、電子機器およびプログラムを提供する。【解決手段】文字入力方法は、第一の表示装置に表示され文字の入力が可能な第一の入力領域６００ａに対応しかつ第二の表示装置に表示される第二の入力領域の識別情報と、前記第二の入力領域を使用するための認証情報と、を含む伝達情報（二次元コード）６００ｂを、前記第二の表示装置を有した情報処理装置による取得が可能な状態にし、サーバから、前記第二の入力領域を介して文字の入力がされた旨を示す情報を受信する。【選択図】図７
2014232426.tif 000002
【特許請求の範囲】
【請求項１】
第一の表示装置に表示され文字の入力が可能な第一の入力領域に対応しかつ第二の表示装置に表示される第二の入力領域の識別情報と、前記第二の入力領域を使用するための認証情報と、を含む伝達情報を、前記第二の表示装置を有した情報処理装置による取得が可能な状態にし、
サーバから、前記第二の入力領域を介して文字の入力がされた旨を示す情報を受信する、文字入力方法。
【請求項２】
前記認証情報は、前記第二の入力領域を介した文字の入力を、閾値以下の回数だけ許可するために用いられる情報である、請求項１に記載の文字入力方法。
【請求項３】
文字の入力がされた旨を示す前記情報を受信した場合、前記第一の表示装置の画面を遷移させる、請求項１に記載の文字入力方法。
【請求項４】
前記識別情報は、前記第二の入力領域を有した画面のＵＲＬである、請求項１に記載の文字入力方法。
【請求項５】
前記情報処理装置による取得が可能な状態として、前記伝達情報を前記第一の入力領域を有した画面中に画像で表示する、請求項１に記載の文字入力方法。
【請求項６】
前記画像は、コードシンボルである、請求項５に記載の文字入力方法。
【請求項７】
前記画像を、一以上の前記第一の入力領域を有した画面に対して一つ表示する、請求項５に記載の文字入力方法。
【請求項８】
前記情報処理装置による取得が可能な状態として、無線通信で前記情報処理装置が情報を取得可能な記憶部に、前記伝達情報を記憶させる、請求項１に記載の文字入力方法。
【請求項９】
前記伝達情報は、前記第一の入力領域に入力された文字の情報を含む、請求項８に記載の文字入力方法。
【請求項１０】
第一の表示装置に表示され文字の入力が可能な第一の入力領域に対応しかつ第二の表示装置に表示される第二の入力領域の識別情報と、前記第二の入力領域を使用するための認証情報と、を含む伝達情報を、前記第二の表示装置を有した情報処理装置による取得が可能な状態にする情報提供部と、
サーバから、前記第二の入力領域を介して文字の入力がされた旨を示す情報を受信する情報受信部と、
を備えた電子機器。
【請求項１１】
第一の表示装置に表示され文字の入力が可能な第一の入力領域に対応しかつ第二の表示装置に表示される第二の入力領域の識別情報と、前記第二の入力領域を使用するための認証情報と、を含む伝達情報を、前記第二の表示装置を有した情報処理装置による取得が可能な状態にし、
サーバから、前記第二の入力領域を介して文字の入力がされた旨を示す情報を受信する、文字入力方法を、コンピュータに実行させるためのプログラム。
【発明の詳細な説明】
【技術分野】
【０００１】
本発明の実施形態は、文字入力方法、電子機器およびプログラムに関する。
【背景技術】
【０００２】
従来、テレビジョン受像機に表示された入力画面への文字入力をタブレット端末等の他の装置で行えるようにした方法が知られている。このようにタブレット端末等を用いた文字入力作業は、リモコンを用いての文字入力作業に比べて簡単である。
【先行技術文献】
【特許文献】
【０００３】
【特許文献１】特開２０１０−１０９６０３号公報
【発明の概要】
【発明が解決しようとする課題】
【０００４】
しかしながら、従来技術では、テレビジョン受像機の文字入力画面への文字入力をタブレット端末等の他の装置で行えるようにするためには、テレビジョン受像機とタブレット端末等の他の装置とを連携させる設定が必要であり、使用者にとって手間が掛かるという問題がある。
【０００５】
本発明の実施形態は、一例として、使用者による装置間の連携設定の必要がなく、文字入力作業が比較的し易い文字入力方法、電子機器およびプログラムを得ることを目的の一つとする。
【課題を解決するための手段】
【０００６】
実施形態の文字入力方法は、第一の表示装置に表示され文字の入力が可能な第一の入力領域に対応しかつ第二の表示装置に表示される第二の入力領域の識別情報と、前記第二の入力領域を使用するための認証情報と、を含む伝達情報を、前記第二の表示装置を有した情報処理装置による取得が可能な状態にし、サーバから、前記第二の入力領域を介して文字の入力がされた旨を示す情報を受信する。
【図面の簡単な説明】
【０００７】
【図１】図１は、第１の実施形態にかかるシステムの一例の概略構成を示した図である。
【図２】図２は、第１の実施形態にかかるテレビジョン受像機の一例を示したブロック図である。
【図３】図３は、第１の実施形態にかかるテレビジョン受像機の機能構成の一例を示したブロック図である。
【図４】図４は、第１の実施形態にかかるタブレット端末の一例を示したブロック図である。
【図５】図５は、第１の実施形態にかかるサーバの一例を示したブロック図である。
【図６】図６は、第１の実施形態にかかるシステムが行う処理の流れの一例を示すフローチャートである。
【図７】図７は、第１の実施形態にかかるテレビジョン受像機の表示部に表示された入力画面の一例を示す図である。
【図８】図８は、第１の実施形態にかかるタブレット端末の表示部に表示された入力画面の一例を示す図である。
【図９】図９は、第１の実施形態にかかるテレビジョン受像機の表示部に表示されたメール送信完了画面の一例を示す図である。
【図１０】図１０は、第１の実施形態の変形例にかかるテレビジョン受像機の表示部に表示された入力画面の一例を示す図である。
【図１１】図１１は、第２の実施形態にかかるシステムが行う処理の流れの一例を示すフローチャートである。
【図１２】図１２は、第２の実施形態にかかるテレビジョン受像機の表示部に表示された入力画面の一例を示す図である。
【発明を実施するための形態】
【０００８】
以下、図面を参照して、実施形態および変形例について説明する。なお、以下の複数の実施形態および変形例には、同様の構成要素が含まれている。よって、以下では、それら同様の構成要素には共通の符号を付与するとともに、重複する説明を省略する。
【０００９】
（第１の実施形態）
図１は、本実施形態にかかるシステム１の一例の概略構成を示した図である。本実施形態では、一例として、図１に示すように、システム１（情報処理システム）は、テレビジョン受像機２００（電子機器）、タブレット端末３００（情報処理装置、入力装置）、およびサーバ１００を備える。テレビジョン受像機２００およびタブレット端末３００と、サーバ１００とは、有線または無線のネットワーク５００（電気通信回線）を介して通信可能に接続される。
【００１０】
図２は、本実施形態にかかるテレビジョン受像機２００の一例を示したブロック図である。本実施形態では、一例として、テレビジョン受像機２００は、チューナ部２０１（Tuner部）や、デマルチプレクサ部（Demux部）２０２、通信部２０３、記憶部２０４、ＨＴＴＰサーバ部２０５、制御部２０６、受信部２１２、グラフィック再生部（Graphics再生部）２１３、映像・音声再生部２１４、表示制御部２１５、表示部２１６（第一の表示装置）、無線通信部２１７等を備える。また、テレビジョン受像機２００は、上記の各部を収容した筐体２２０を備える。
【００１１】
チューナ部２０１は、一例として、放送データをそれぞれ受信可能な複数のチューナを備えている。本実施形態では、チューナ部２０１は、複数のチャンネル（本実施形態では、３つのチャンネル）の放送データをそれぞれ受信可能となっている。
【００１２】
デマルチプレクサ部２０２は、チューナ部２０１で受信した放送データから各種データを分離する。本実施形態では、デマルチプレクサ部２０２は、チューナ部２０１が備えるチューナ毎に、放送データから各種データを分離する。デマルチプレクサ部２０２により分離された放送映像・音声は、映像・音声再生部２１４に送られる。
【００１３】
通信部２０３は、他装置との通信を実行する。一例として、通信部２０３は、ネットワーク５００を介してサーバ１００と通信を実行し、サーバ１００との間でデータの授受を行う。
【００１４】
無線通信部２１７は、他装置と無線通信（非接触通信）を行う。一例として、無線通信部２１７は、タブレット端末３００の無線通信部３０８と近距離無線通信を行う。無線通信部２１７，３０８間での無線通信は、一例として、ＲＦＩＤ（Radio  Frequency  Identification：無線周波数識別）で用いられる近距離無線通信用の電磁波を用いて行われる。本実施形態では、一例として、無線通信部２１７が、無線リーダ・ライタとして構成され、記憶部２１７ａを有する。一方、無線通信部３０８は、無線通信媒体（ＩＣタグ、無線タグ）として構成される。筐体２２０には、無線通信部２１７のアンテナ（読取部）の位置を示す読取部マーク２２１が設けられており、この読取部マーク２２１の裏側に無線通信部２１７のアンテナが収容されている。
【００１５】
表示部２１６は、例えば、液晶ディスプレイ（ＬＣＤ，liquid  crystal  display）や、有機ＥＬディスプレイ（ＯＥＬＤ，organic  electro-luminescent  display）等である。表示部２１６は、表示画面が筐体２２０から露出されている。表示部２１６は、チューナ部２０１が受信した放送データに基づく画像や、通信部２０３が受信したサーバ１００からのデータに基づく画像を表示する。
【００１６】
制御部２０６は、ＣＰＵ（Central  Processing  Unit）や、記憶部を有し、テレビジョン受像機２００の各部を制御する。制御部２０６の記憶部は、一例として、ＲＯＭ（Read  Only  Memory）やＲＡＭ（Random  Access  Memory）を含む。また、制御部２０６は、ＣＰＵと記憶部に記憶されたプログラムとの協働によって、ウェブブラウザ部として機能する。ウェブブラウザ部は、ＪａｖａＳｃｒｉｐｔ（登録商標）処理部、ＨＴＭＬ処理部、Ｖｉｄｅｏ／Ａｕｄｉｏエレメント処理部、ＡＰＩ（Application  Program  Interface）処理部、ＣＳＳ処理部等（いずれも図示せず）を有する。ウェブブラウザ部は、取得した情報をグラフィック再生部２１３に出力する。また、本実施形態では、制御部２０６は、ＣＰＵと記憶部に記憶されたプログラムとの協働によって、一例として、図３に示すように、受付部２５１、情報提供部２５２、情報受信部２５３、および画面変更部２５４として機能する。
【００１７】
ＨＴＴＰサーバ部２０５は、一般的なＷｅｂサーバ機能を有するモジュールである。ＨＴＴＰサーバ部２０５は、制御部２０６（ウェブブラウザ部）からの要求に応じて記憶部２０４に記憶した関連情報等を制御部２０６に出力する。
【００１８】
記憶部２０４は、デマルチプレクサ部２０２によって放送データから分離（取得）された関連情報等を記憶する。
【００１９】
映像・音声再生部２１４は、デマルチプレクサ部２０２から入力された放送映像や音声データ等をデコードする。グラフィック再生部２１３は、制御部２０６から入力されたＨＴＭＬ、ＣＳＳ、ＪａｖａＳｃｒｉｐｔ（登録商標）形式等で記述された関連情報から、表示制御部２１５が処理可能な形式の表示データを生成する。
【００２０】
表示制御部２１５は、映像・音声再生部２１４によりデコードされた放送映像と、グラフィック再生部２１３により生成された表示データと、を重畳して表示部２１６で表示可能な形式の映像信号に変換する。そして、表示部２１６は、当該映像信号を用いて映像を表示する。
【００２１】
受信部２１２は、リモコン２５０から無線信号（例えば、赤外線信号等）を受信する。リモコン２５０は、メニューキーや移動キー、数字キー、確定キー等の各種のキーを有する。
【００２２】
図４は、本実施形態にかかるタブレット端末３００の一例を示したブロック図である。本実施形態では、一例として、タブレット端末３００は、通信部３０１、制御部３０２、表示制御部３０４、タッチパネル３０５、表示部３０６（第二の表示装置）、撮像部３０７（取得部）、無線通信部３０８等を備える。
【００２３】
通信部３０１は、他装置との通信を実行する。一例として、通信部３０１は、ネットワーク５００を介してサーバ１００と通信を実行し、サーバ１００との間でデータの授受を行う。
【００２４】
制御部３０２は、ＣＰＵや、記憶部を有し、タブレット端末３００の各部を制御する。制御部３０２の記憶部は、一例として、ＲＯＭやＲＡＭを含む。制御部３０２は、ＣＰＵがプログラムと協働することにより、ウェブブラウザ部として機能する。ウェブブラウザ部は、ＪａｖａＳｃｒｉｐｔ（登録商標）処理部や、ＨＴＭＬ処理部、Ｖｉｄｅｏ／Ａｕｄｉｏエレメント処理部、ＡＰＩ処理部、ＣＳＳ処理部等（いずれも図示せず）を有し、受信した情報を表示制御部３０４に出力する。
【００２５】
表示制御部３０４は、情報を表示部３０６に表示させる。本実施形態では、一例として、表示制御部３０４は、制御部３０２から入力されたＨＴＭＬ、ＣＳＳ、ＪａｖａＳｃｒｉｐｔ（登録商標）形式等の情報から、表示部３０６において表示可能な形式の表示データを生成する。
【００２６】
表示部３０６は、例えば、液晶ディスプレイや、有機ＥＬディスプレイ等である。表示部３０６は、表示制御部３０４から入力された表示データを用いて映像を表示する。この表示部３０６の表示画面上にタッチパネル３０５が積層されている。タッチパネル３０５は、文字の入力操作を受ける入力操作部の一例である。なお、入力操作部は、キーボード（図示せず）等であってもよい。
【００２７】
無線通信部３０８は、前述したように、一例として、無線通信部２１７と近距離無線通信を行う。無線通信部３０８は、無線通信部２１７から送信された情報を当該無線通信部３０８の記憶部に記憶するとともに、該情報を制御部３０２に出力する。
【００２８】
撮像部３０７は、ＣＣＤイメージセンサやＣＭＯＳイメージセンサ等によって構成される。撮像部３０７は、撮像によって情報を取得し、取得した情報を制御部３０２に出力する。
【００２９】
図５は、本実施形態にかかるサーバ１００の一例を示したブロック図である。本実施形態では、サーバ１００は、一例として、Ｗｅｂサーバとして構成される。サーバ１００は、制御部１０１を有する。制御部１０１は、ＣＰＵや、記憶部を有し、サーバ１００の各部を制御する。制御部１０１の記憶部は、一例として、ＲＯＭやＲＡＭを含む。制御部１０１には、各種データベースとして機能するとともにＯＳ（Operating  System）や各種のアプリケーションプログラム等を記憶する記憶部であるＨＤＤ（Hard  Disk  Drive）１０４、記憶媒体１１０を用いて情報を保管したり外部に情報を配布したり外部から情報を入手するためのＤＶＤドライブ等の媒体読取装置１０５、ネットワーク５００を介して外部の他の機器と通信により情報を伝達するための通信部１０６、処理経過や結果等を操作者に表示するＬＣＤ等の表示部１０７、および操作者が制御部１０１に命令や情報等を入力するためのキーボードやマウス等のポインティングデバイスである入力部１０８が接続される。
【００３０】
次に、システム１が行う処理の一つであるメール送信処理について図６に示すフローチャートを参照して説明する。本実施形態では、テレビジョン受像機２００を送信元として送信するメールの文字入力が、テレビジョン受像機２００とタブレット端末３００とのいずれかで実行可能である。
【００３１】
まず、テレビジョン受像機２００の制御部２０６は、使用者の操作するリモコン２５０からメニューキーが操作された旨の信号が入力されると、表示部２１６にメニュー画面（図示せず）を表示する。そして、このメニュー画面中のメール送信ボタンがリモコン２５０によって選択された場合、制御部２０６は、サーバ１００に対して入力画面データの送信要求を行う（ステップＳ１）。
【００３２】
サーバ１００の制御部１０１は、テレビジョン受像機２００から入力画面データの送信要求を受けると、入力画面データをテレビジョン受像機２００に送信する（ステップＳ１１）。
【００３３】
テレビジョン受像機２００の制御部２０６（受付部２５１、情報提供部２５２）は、サーバ１００から入力画面データを受信すると（ステップＳ２）、該入力画面データを用いて入力画面６００（メール送信画面、図７参照）を表示部２１６に表示する（ステップＳ３）。
【００３４】
図７に入力画面６００の一例を示す。入力画面６００は、文字入力を受け付ける入力領域６００ａ（第一の入力領域、入力ブロック）と、二次元コード６００ｂ（コードシンボル、伝達情報）と、メッセージ表示部６００ｃと、送信ボタン６００ｄと、を有する。入力領域６００ａは、一例として、リモコン２５０による文字の入力を受け付ける。二次元コード６００ｂは、伝達情報をコードシンボル化したものである。本実施形態では、二次元コード６００ｂは、一以上の入力領域６００ａを有した入力画面６００に対して一つ表示される。つまり、入力画面６００に入力領域６００ａが複数設けられている場合にも、二次元コード６００ｂが一つ設けられる。伝達情報は、一例として、表示部２１６に表示され文字の入力が可能な入力領域６００ａに対応しかつタブレット端末３００の表示部３０６に表示される入力領域７００ａ（第二の入力領域、図８参照）の識別情報と、入力領域７００ａを使用するための認証情報と、を含む。入力領域６００ａに対応した入力領域７００ａの識別情報は、本実施形態では、一例として、入力画面６００に対応した入力画面７００（画面、画面データ、画像データ、図８参照）の識別情報（アドレス情報）である。入力画面７００の識別情報は、一例として、ＵＲＬ（Uniform  Resource  Locator）であり、認証情報は、ＵＲＬに含まれたトークンである。認証情報は、入力画面７００の取得に必要な情報であり、入力画面７００（画面データ）へのアクセス権限を与えるものである。認証情報（トークン）は、一例として、サーバ１００によってランダムに生成される。伝達情報（識別情報、認証情報）は、一例として、上述したステップＳ１１において、入力画面６００の画面データ中に含まれてサーバ１００から送信されてもよいし、画面データとは別のデータとして、画像データとともにサーバ１００から送信されてもよい。また、メッセージ表示部６００ｃには、例えば、「ここから文字入力できます」等のメッセージが表示される。なお、メッセージ表示部６００ｃは、表示されなくてもよい。このように、制御部２０６は、タブレット端末３００の撮像部３０７による取得が可能な状態として、伝達情報を、入力領域６００ａを有した入力画面６００中に二次元コード６００ｂ（画像）で表示する。
【００３５】
ここで、制御部２０６は、一例として、リモコン２５０によって送信ボタン６００ｄが選択されたと判断した場合、入力領域６００ａに入力された文字の情報を含むメール送信情報をサーバ１００に送信する。この場合、サーバ１００は、受信したメール送信情報を用いてメールをメール送信情報中に含まれる宛先（アドレス）に送信する。なお、以下では、送信ボタン６００ｄが選択されずに、タブレット端末３００で文字入力が行われる例を説明する。
【００３６】
次に、タブレット端末３００において、二次元コード６００ｂの撮像が可能な状態で使用者による撮像操作がされると、制御部３０２は、撮像部３０７を制御して二次元コード６００ｂを撮像して伝達情報を取得する（ステップＳ２１）。制御部３０２は、取得した伝達情報を用いて、サーバ１００にアクセスして、入力画面７００（図８参照）を表示部３０６に表示する（ステップＳ２２）。詳細には、制御部３０２は、伝達情報をサーバ１００に送信する。伝達情報を受信したサーバ１００の制御部１０１は、伝達情報に、所定の認証情報（ステップＳ１１で送信した認証情報）が含まれている場合だけに、入力画面７００のデータをタブレット端末３００に送信する。また、本実施形態では、入力画面７００（入力領域７００ａ、図８参照）の使用は、サーバ１００に送信した認証情報がサーバ１００に最先に受信されたタブレット端末３００（情報処理装置）に許可される。一例として、サーバ１００の制御部１０１は、タブレット端末３００から認証情報を受信した場合、該タブレット端末３００だけに入力画面７００のデータを送信し、以後に他の情報処理総装置から同一の認証情報を受信しても該情報処理装置には入力画面７００のデータを送信しない。このように、本実施形態では、認証情報は、入力領域７００ａを介した文字の入力を、閾値（一例として、本実施形態では、１）以下の回数だけ許可するために用いられる情報である。ここでは、サーバ１００の制御部１０１が、タブレット３００から送信された認証情報を最先に受信した場合について説明する。
【００３７】
図８に入力画面７００の一例を示す。入力画面７００は、文字の入力を受け付ける入力領域７００ａ（第二の入力領域、入力領域、入力ブロック）と、当該入力画面７００のＵＲＬ７００ｂと、送信ボタン７００ｄと、を有する。入力領域７００ａは、入力画面６００の入力領域６００ａに対応している（関連付けされている）。入力領域７００ａへの文字入力は、所定の操作によって表示部３０６に表示されるソフトウェアキーボード（画面キーボード）に対する、タッチパネル３０５によるキー選択によって行われる。ＵＲＬ７００ｂには、トークン７００ｃが含まれる。
【００３８】
次に、制御部３０２は、一例として、タッチパネル３０５によって送信ボタン７００ｄが選択されたと判断した場合、入力領域７００ａに入力された文字の情報を含むメール送信情報をサーバ１００に送信する（ステップＳ２３）。
【００３９】
サーバ１００の制御部１０１は、タブレット端末３００からメール送信情報を受信する（ステップＳ１２）。このように、サーバ１００は、表示部３０６に表示された入力領域７００ａにタッチパネル３０５により入力された文字の情報をタブレット端末３００から受信する。次に、制御部１０１は、受信したメール送信情報に含まれるメッセージを含むメールをメール送信情報中に含まれる宛先（アドレス）に送信する（ステップＳ１３）。このときのメール送信元は、テレビジョン受像機２００である。次に、制御部１０１は、メール送信完了画面データをテレビジョン受像機２００に送信する（ステップＳ１４）。
【００４０】
テレビジョン受像機２００の制御部２０６（情報受信部２５３）は、サーバ１００からメール送信完了画面データを受信する（ステップＳ４）。メール送信完了画面データは、入力領域７００ａを介して文字の入力がされた旨を示す情報の一例である。また、メール送信完了画面データは、認証情報に応じた情報（第一情報）の一例である。次に、制御部２０６（画面変更部２５４）は、受信したメール送信完了画面データを用いて、メール送信完了画面６００Ａ（図９参照）を表示部２１６に表示する（ステップＳ５）。このように、制御部２０６は、文字入力が終了した旨を示す情報としてメール送信完了画面データを受信した場合、表示部２１６の画面を遷移させる。図９に示すように、メール送信完了画面６００Ａには、メール送信が完了した旨を示すメッセージ（一例として、「メール送信完了」）が表示される。また、メール送信完了画面６００Ａには、ＯＫボタン６００ｅが表示されており、このＯＫボタン６００ｅがリモコン２５０によって選択されることで、表示部２１６の画面がメール送信完了画面６００Ａから別の画面に遷移する。
【００４１】
また、本実施形態では、一例として、文字入力の確定操作として、入力画面６００，７００のうちの一方で送信ボタン（入力画面６００では送信ボタン６００ｄ、入力画面７００では送信ボタン７００ｄ）の選択がされた場合には、それ以後の文字入力を受け付けないとともに、入力画面６００，７００のうちの他方に入力された文字を無効とする。このとき、例えば、入力画面６００で送信ボタン６００ｄが選択された場合、入力画面７００を消したり、送信ボタン６００ｄをグレイアウトさせる。
【００４２】
以上説明したように、本実施形態では、テレビジョン受像機２００が、表示部２１６に表示され文字の入力が可能な入力領域６００ａに対応しかつ表示部３０６に表示される入力領域７００ａの識別情報と、入力領域７００ａを使用するための認証情報と、を含む伝達情報を、表示部３０６を有したタブレット端末３００による取得が可能な状態にする。本実施形態では、一例として、伝達情報が二次元コード６００ｂで示される。また、テレビジョン受像機２００は、表示部３０６に表示された入力領域７００ａにタッチパネル３０５により入力された文字の情報をタブレット端末３００から受信したサーバ１００から、文字の入力がされた旨を示す情報としてメール送信完了画面データを受信する。したがって、本実施形態によれば、タブレット端末３００の撮像部３０７によって二次元コード６００ｂを撮像することより、テレビジョン受像機２００の表示部２１６に表示された入力領域６００ａに対する文字の入力を、タブレット端末３００の表示部３０６に表示された入力領域７００ａへの文字の入力で代わりに行うことができる。この際、テレビジョン受像機２００とタブレット端末３００との事前の連携設定は不要である。つまり、本実施形態によれば、テレビジョン受像機２００の入力領域６００ａに対する文字入力を、タブレット端末３００の入力領域７００ａへの文字入力で容易に代用することができる。つまり、本実施形態では、使用者による装置（テレビジョン受像機２００とタブレット端末３００）間の連携設定の必要がなく、文字入力作業が比較的し易い。
【００４３】
また、本実施形態では、伝達情報に認証情報（トークン）が含まれる。したがって、サーバ１００は、伝達情報に所定の認証情報がある場合に、入力画面７００のデータを送信し（入力画面７００へのアクセルを許可し）、伝達情報に所定の認証情報が無い場合には、入力画面７００のデータの送信を拒否することができる。また、サーバ１００は、認証情報によって、テレビジョン受像機２００とタブレット端末３００との関連付け（対応付け）をすることができる。
【００４４】
また、本実施形態では、テレビジョン受像機２００は、文字の入力がされた旨（終了した旨）を示す情報（一例として、メール送信完了画面データ）をサーバ１００から受信した場合、表示部２１６の画面を遷移させる。したがって、本実施形態によれば、使用者に、処理（一例として、メール送信処理）が完了したことを把握させることができる。
【００４５】
（変形例）
図１０は、第１の実施形態の変形例にかかるテレビジョン受像機２００の表示部２１６に表示された入力画面６００Ｃの一例を示す図である。本変形例では、一つの入力画面６００Ｃに、複数の入力領域６００ａ（第一の入力領域）が含まれる。本変形例では、一つの入力領域６００ａを撮像部３０７で撮像することで、入力領域６００ａに対応した入力領域を有した入力画面がタブレット端末３００に表示され、文字入力可能となる。
【００４６】
（第２の実施形態）
本実施形態は、テレビジョン受像機２００において、伝達情報が無線通信部２１７の記憶部２１７ａに記憶される点が第１の実施形態に対して異なる。本実施形態では、タブレット端末３００の無線通信部３０８が、取得部の一例である。
【００４７】
本実施形態のメール送信処理の流れを、図１１のフローチャートを参照して、図６のフローチャートと異なる部分を主に説明する。本実施形態では、ステップＳ１１で、サーバ１００の制御部１０１は、入力画面データとともに、伝達情報をテレビジョン受像機２００に送信する。
【００４８】
一方、テレビジョン受像機２００の制御部２０６は、ステップＳ２で、入力画面データと伝達情報とを受信し、ステップＳ３で、入力画面６００Ｂ（図１２参照）を表示部２１６に表示する。一例として、図１２に示すように、本実施形態の入力画面６００Ｂは、入力画面６００と同様に、入力領域６００ａと、メッセージ表示部６００ｃと、送信ボタン６００ｄと、を有する。本実施形態の入力画面６００Ｂには、二次元コード６００ｂは設けられていない。また、本実施形態では、メッセージ表示部６００ｃには、例えば、「読取部マークに装置をタッチさせることで文字入力できます。」等のメッセージが表示される。
【００４９】
次に、テレビジョン受像機２００の制御部２０６は、サーバ１００から受信した伝達情報を、無線通信部２１７の記憶部２１７ａに記憶させる（ステップＳ１０１）。これにより、タブレット端末３００の無線通信部３０８がテレビジョン受像機２００の読取部マーク２２１にタッチ（近接）されることで、記憶部２１７ａに記憶された伝達情報が無線通信部２１７から無線通信部３０８へ送信される。無線通信部３０８は、送信された伝達情報を受信（取得）し、タブレット端末３００の制御部３０２へ出力する。伝達情報の送受信が完了した場合、一例として、テレビジョン受像機２００から完了を示す音を出力してよい。以降の処理は、第１の実施形態と同様に行われる。
【００５０】
また、本実施形態では、伝達情報は、入力領域６００ａに入力された文字の情報を含むことができる。例えば、使用者が、入力領域６００ａに対する文字入力をリモコン２５０の操作により途中まで行った後、残りの文字入力をタブレット端末３００で行う場合、制御部２０６は、入力領域６００ａに入力された文字の情報を伝達情報に含ませて、当該伝達情報を記憶部２１７ａに記憶させる。制御部２０６は、入力領域６００ａに文字が追加または削除される毎に、伝達情報を更新する。一方、タブレット端末３００の制御部３０２は、テレビジョン受像機２００から取得した伝達情報を用いて、入力領域６００ａに入力された文字を、入力領域７００ａに表示（入力）する。このように、本実施形態では、入力領域６００ａに入力された文字の情報をタブレット端末３００で引き継ぐことができる。
【００５１】
以上、説明したとおり、本実施形態では、制御部２０６が、タブレット端末３００の無線通信部３０８による取得が可能な状態として、無線通信で無線通信部３０８が情報を取得可能な記憶部２１７ａに、伝達情報を記憶させる。したがって、本実施形態によれば、テレビジョン受像機２００の無線通信部２１７に近接されたタブレット端末３００の無線通信部３０８が、無線通信部２１７から伝達情報を無線通信で取得することより、テレビジョン受像機２００の表示部２１６に表示された入力領域６００ａに対する文字の入力を、タブレット端末３００の表示部３０６に表示された入力領域７００ａへの文字の入力で代わりに行うことができる。この際、テレビジョン受像機２００とタブレット端末３００との事前の連携設定は不要である。よって、本実施形態では、使用者による装置（テレビジョン受像機２００とタブレット端末３００）間の連携設定の必要がなく、文字入力作業が比較的し易い。
【００５２】
（変形例）
次に、第２の実施形態の変形例を説明する。本変形例では、一例として、テレビジョン受像機２００の表示部２１６に表示される入力画面（図示せず）が、複数の入力領域６００ａを有する。そして、該入力画面のいずれか一つの入力領域６００ａに、カーソルが位置されて該入力領域６００ａへの文字入力が可能な状態の場合、制御部２０６は、カーソルが位置された入力領域６００ａに対する伝達情報だけを、無線通信部２１７の記憶部２１７ａに記憶させる。このとき、記憶部２１７ａに他の入力領域６００ａの伝達情報が記憶されている場合には、該伝達情報を消去する。これにより、カーソルの位置で、複数の入力領域６００ａのうちの入力対象を一つ特定することができる。
【００５３】
以上説明したとおり、上記各実施形態および変形例によれば、使用者による装置（テレビジョン受像機２００とタブレット端末３００）間の連携設定の必要がなく、文字入力作業が比較的し易い文字入力方法、テレビジョン受像機２００およびプログラムを得ることができる。
【００５４】
本発明の実施形態および変形例を説明したが、これらの実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、置き換え、変更を行うことができる。これらの実施形態および変形例は、発明の範囲や要旨に含まれるとともに、特許請求の範囲に記載された発明とその均等の範囲に含まれる。
【００５５】
例えば、テレビジョン受像機２００の制御部２０６が認証情報を生成して、サーバ１００に送信し、認証情報をテレビジョン受像機２００とサーバ１００とで共有してもよい。
【００５６】
また、サーバ１００によってテレビジョン受像機２００に送信された伝達情報に有効期限を設定してよい。
【００５７】
また、伝達情報を二次元コード６００ｂに代えて文字で表示し、当該文字をタブレット端末３００の撮像部３０７が撮像し、タブレット端末３００の制御部３０２が撮像データに対して文字認識処理を実行して伝達情報を認識してもよい。
【００５８】
また、電子機器としては、テレビジョン受像機２００に限るものではない。例えば、電子機器は、コンピュータ、映像表示装置、プロジェクタ、定期券発売機等であってもよい。また、電子機器は、例えば、駅、店舗、旅館、役所等の施設や街中に設置され、不特定多数の使用者による使用が可能な状態とされてよい。また、入力画面は、メールの入力画面に限るものではなく、情報を文字入力できるものであればよい。例えば、旅館に設置されたコンピュータが、入力画面として宿泊の感想等のメッセージを入力可能な画面を表示してもよい。また、例えば、プロジェクタが、デジタルサイネージとともに入力領域を表示してもよい。
【００５９】
また、情報処理装置としては、タブレット端末３００に限るものではなく、例えば、スマートフォン、携帯電話機、ＰＤＡ（Personal  Digital  Assistant）等であってもよい。
【００６０】
また、入力領域７００ａを介した文字の入力の許可の回数の閾値は、１に限るものではなく、２以上であってもよい。
【符号の説明】
【００６１】
１００…サーバ、２００…テレビジョン受像機（電子機器）、２１６…表示部（第一の表示部）、２５１…受付部、２５２…情報提供部、２５３…情報受信部、３００…タブレット端末（情報処理装置）、３０５…タッチパネル（入力操作部）、３０６…表示部（第二の表示部）、３０７…撮像部（取得部）、３０８…無線通信部（取得部）、６００ａ…入力領域（第一の入力領域）、６００ｂ…二次元コード（コードシンボル）、７００…入力画面（画面）、７００ａ…入力領域（第二の入力領域）。
【図１】
2014232426.tif 000003
【図２】
2014232426.tif 000004
【図３】
2014232426.tif 000005
【図４】
2014232426.tif 000006
【図５】
2014232426.tif 000007
【図６】
2014232426.tif 000008
【図７】
2014232426.tif 000009
【図８】
2014232426.tif 000010
【図９】
2014232426.tif 000011
【図１０】
2014232426.tif 000012
【図１１】
2014232426.tif 000013
【図１２】
2014232426.tif 000014